(57)【要約】      （修正有）【課題】操作部材のレイアウトの制約を無くし、操作性やデザイン性を高めることができる無線制御システム、電子機器本体及び操作入力装置を提供する。【解決手段】アンテナ１６は、電子機器本体１４から電力供給を受ける。この電力供給は所定のタイミングで自動的に停止され、停止時には、操作側バッテリＥ１が操作入力装置１２の電力供給源となり、操作入力装置１２からの電力送信がトリガとなって、電子機器本体１４からの電力送信が開始される。ＲＦ−ＩＤタグ１８ａ及び１８ｂは、それぞれスイッチＳＷａ及びＳＷｂに接続されており、それぞれ固有の制御データを記憶している。操作者により各々に接続されたスイッチが操作されると、ＲＦ−ＩＤタグ１８ａ及び１８ｂにより、この制御データを含む電波が送信される。ＣＰＵ２６は、この制御データに応じた、即ち操作されたスイッチに応じたコマンドを電子機器本体１４内の各部に送信して制御する。【選択図】図１
2006148254.tif 000002
【特許請求の範囲】
【請求項１】
電子機器本体と、無線により前記電子機器本体に操作入力を行う操作入力装置とを備え、
前記操作入力装置は、
操作者による操作入力を受け付ける操作入力受付手段、及び前記操作入力受付手段により前記操作者による操作入力が受け付けられた際に、前記操作入力受付手段に固有の制御データを出力する制御データ出力手段を備える出力部と、
前記電子機器本体から無線により送信された電力を受信するとともに、前記電子機器本体に前記制御データを無線により送信するアンテナとを備え、
前記電子機器本体は、
前記電子機器本体の動作電源である本体側電源と、
前記操作入力装置に無線により電力を送信する本体側電力送信手段と、
前記制御データに対応したコマンドを記憶しており、前記操作入力装置から送信された制御データを受信した際に、前記受信した制御データに対応したコマンドを出力するコマンド出力手段と、
前記コマンド出力手段により出力されたコマンドに基づいて前記電子機器本体を制御する制御手段とを備えることを特徴とする無線制御システム。
【請求項２】
前記操作入力装置は、
前記操作入力装置の動作電源となる操作側電源と、
前記本体側電力送信手段からの無線による電力の送信が停止している場合に、前記操作入力装置の動作電源を前記操作側電源に切り替える電源切替手段と、
前記本体側電力送信手段からの無線による電力の送信が停止している場合に、前記操作側電源から供給された電力を前記電子機器本体に無線で送信する操作入力装置側電力送信手段とを更に備え、
前記電子機器本体は、
前記本体側電力送信手段による前記操作入力装置への電力の送信、及び前記制御データ出力手段への電力の供給を停止する電力供給停止手段と、
前記操作入力装置側電力送信手段から送信された電力を受信する本体側電力受信手段と、
前記操作入力装置側電力送信手段から電力を受信した際に、前記本体側電力送信手段による前記操作入力装置への電力の送信、及び前記制御データ出力手段への電力の供給を開始する電力供給開始手段とを更に備えることを特徴とする請求項１記載の無線制御システム。
【請求項３】
前記電力供給停止手段は、前記制御データによる電子機器本体の制御が終了する都度、所定の制御データが受信された際に、又は所定時間おきに、前記電力の供給を停止することを特徴とする請求項１又は２記載の無線制御システム。
【請求項４】
前記電子機器本体が、前記コマンド出力手段に記憶された前記制御データと前記コマンドの対応関係を変更する変更手段を更に備えることを特徴とする請求項１から３のいずれか１項記載の無線制御システム。
【請求項５】
前記操作入力装置は、前記出力部を複数備えており、
前記アンテナは、複数の制御データ出力手段により出力された制御データを送信することを特徴とする請求項１から４のいずれか１項記載の無線制御システム。
【請求項６】
前記操作入力装置は、前記出力部を複数備えており、
前記制御データ出力手段は、複数の操作入力受付手段により略同時に操作入力が受け付けられた際に、前記操作入力を受け付けた操作入力受付手段の組み合わせに対応した制御データを出力することを特徴とする請求項１から５のいずれか１項記載の無線制御システム。
【請求項７】
前記操作入力装置は、前記電子機器本体の外装部分に配設されていることを特徴とする請求項１から６のいずれか１項記載の無線制御システム。
【請求項８】
請求項１から７のいずれか１項記載の無線制御システムにおける電子機器本体。
【請求項９】
請求項１から７のいずれか１項記載の無線制御システムにおける操作入力装置。
【請求項１０】
前記電子機器本体を無線により遠隔操作するためのリモコンであることを特徴とする請求項９記載の操作入力装置。
【請求項１１】
前記電子機器本体を気密に保持する防水パック又は防塵パックであることを特徴とする請求項９記載の操作入力装置。
【発明の詳細な説明】
【技術分野】
【０００１】
本発明は無線制御システム、電子機器本体及び操作入力装置に係り、特に無線により電子機器の制御を行う無線制御システム、電子機器本体及び操作入力装置に関する。
【背景技術】
【０００２】
従来、電子機器は、外装部等に配設されたスイッチ等の操作部材を操作することにより制御される。通常、電子機器の操作部材は、電子機器本体内の各部の間の配線等のためにレイアウトの制限を受けるため、操作性やデザイン性を損なうことがあった。このような問題を解決するために、特許文献１には、電池、コンデンサ、回転操作部材、及びレリーズボタンを効率よく配置し、操作性のよいバランスの取れた小型のカメラを、グリップの握りやすさや操作性を犠牲にせずに実現するカメラのレイアウト構造について開示されている。
【特許文献１】特開２０００−２３５２１９号公報
【発明の開示】
【発明が解決しようとする課題】
【０００３】
しかしながら、上記の特許文献１では、操作部材と電子機器本体内の各部の間の配線に起因する操作部材のレイアウトの制限を解消できるものではなかった。また、特許文献１はカメラに限定されており、本発明とは適用対象を異にしている。
【０００４】
本発明はこのような事情に鑑みてなされたもので、操作部材のレイアウトの制約を無くし、電子機器の操作性やデザイン性を高めることができる無線制御システム、電子機器本体及び操作入力装置を提供することを目的とする。
【課題を解決するための手段】
【０００５】
上記目的を達成するために請求項１に係る無線制御システムは、電子機器本体と、無線により前記電子機器本体に操作入力を行う操作入力装置とを備え、前記操作入力装置は、操作者による操作入力を受け付ける操作入力受付手段、及び前記操作入力受付手段により前記操作者による操作入力が受け付けられた際に、前記操作入力受付手段に固有の制御データを出力する制御データ出力手段を備える出力部と、前記電子機器本体から無線により送信された電力を受信するとともに、前記電子機器本体に前記制御データを無線により送信するアンテナとを備え、前記電子機器本体は、前記電子機器本体の動作電源である本体側電源と、前記操作入力装置に無線により電力を送信する本体側電力送信手段と、前記制御データに対応したコマンドを記憶しており、前記操作入力装置から送信された制御データを受信した際に、前記受信した制御データに対応したコマンドを出力するコマンド出力手段と、前記コマンド出力手段により出力されたコマンドに基づいて前記電子機器本体を制御する制御手段とを備えることを特徴とする。
【０００６】
請求項１に係る無線制御システムによれば、操作入力装置と電子機器本体との間に配線がないため、操作入力受付手段（スイッチや釦等の操作部材）のレイアウトの自由度が増す。
【０００７】
請求項２に係る無線制御システムは、請求項１において、前記操作入力装置は、前記操作入力装置の動作電源となる操作側電源と、前記本体側電力送信手段からの無線による電力の送信が停止している場合に、前記操作入力装置の動作電源を前記操作側電源に切り替える電源切替手段と、前記本体側電力送信手段からの無線による電力の送信が停止している場合に、前記操作側電源から供給された電力を前記電子機器本体に無線で送信する操作入力装置側電力送信手段とを更に備え、前記電子機器本体は、前記本体側電力送信手段による前記操作入力装置への電力の送信、及び前記制御データ出力手段への電力の供給を停止する電力供給停止手段と、前記操作入力装置側電力送信手段から送信された電力を受信する本体側電力受信手段と、前記操作入力装置側電力送信手段から電力を受信した際に、前記本体側電力送信手段による前記操作入力装置への電力の送信、及び前記制御データ出力手段への電力の供給を開始する電力供給開始手段とを更に備えることを特徴とする。
【０００８】
請求項２に係る無線制御システムによれば、上記した効果に加え、操作の中断時等に、電子機器本体から操作入力装置側への無線による電力の送信を中断させるため、本体側電源の省電力化を図ることができる。
【０００９】
請求項３に係る無線制御システムは、請求項１又は２において、前記電力供給停止手段は、前記制御データによる電子機器本体の制御が終了する都度、所定の制御データが受信された際に、又は所定時間おきに、前記電力の供給を停止することを特徴とする。請求項３は、請求項２において、電子機器本体から操作入力装置への電力送信の停止のタイミングを具体的に列挙したものである。
【００１０】
請求項４に係る無線制御システムは、請求項１から３において、前記電子機器本体が、前記コマンド出力手段に記憶された前記制御データと前記コマンドの対応関係を変更する変更手段を更に備えることを特徴とする。
【００１１】
請求項４に係る無線制御システムによれば、操作入力受付手段（スイッチや釦等の操作部材）への機能の割り当てを操作者が任意に設定することができる。これにより、操作者は、利き腕等に応じて自分が使用しやすいように、操作入力受付手段の機能割り当てを変更することができる。
【００１２】
請求項５に係る無線制御システムは、請求項１から４において、前記操作入力装置は、前記出力部を複数備えており、前記アンテナは、複数の制御データ出力手段により出力された制御データを送信することを特徴とする。
【００１３】
請求項５に係る無線制御システムによれば、アンテナを複数の出力部で共有するため、操作入力装置の小型化を図ることができる。また、複数の操作入力受付手段が誤って同時に操作された場合等に、異なる制御データが同時に送信されて、電子機器本体が誤動作するのを防ぐことができる。
【００１４】
請求項６に係る無線制御システムは、請求項１から５において、前記操作入力装置は、前記出力部を複数備えており、前記制御データ出力手段は、複数の操作入力受付手段により略同時に操作入力が受け付けられた際に、前記操作入力を受け付けた操作入力受付手段の組み合わせに対応した制御データを出力することを特徴とする。
【００１５】
請求項６に係る無線制御システムによれば、複数の操作入力受付手段を所定の組み合わせで同時に操作した場合や、所定の順序で操作した場合、２度押しの場合等の操作方法に応じて電子機器本体の制御を行うことができる。また、少ない操作部材でより多くの機能を実現できる。
【００１６】
請求項７に係る無線制御システムは、請求項１から６において、前記操作入力装置は、前記電子機器本体の外装部分に配設されていることを特徴とする。
【００１７】
請求項７に係る無線制御システムによれば、電子機器本体の筐体の外装部分に配設されるスイッチ群のレイアウトの自由度を増すことができる。
【００１８】
請求項８に係る電子機器本体、及び請求項９に係る操作入力装置は、請求項１から７のいずれか１項記載の無線制御システムにおけるものである。
【００１９】
請求項１０に係る操作入力装置は、請求項９において、前記電子機器本体を無線により遠隔操作するためのリモコンであることを特徴とする。また、請求項１１に係る操作入力装置は、請求項９において、前記電子機器本体を気密に保持する防水パック又は防塵パックであることを特徴とする。請求項１０及び１１は、本発明をそれぞれ電子機器本体を遠隔操作するためのリモコン、及び防水パック又は防塵パックに適用したものである。
【発明の効果】
【００２０】
本発明によれば、操作入力装置と電子機器本体との間に配線がないため、操作入力受付手段（スイッチや釦等の操作部材）のレイアウトの自由度が増加する。また、操作の中断時等に、電子機器本体から操作入力装置側への無線による電力の送信を中断させることができるため、本体側電源の省電力化を図ることができる。
【発明を実施するための最良の形態】
【００２１】
以下、添付図面に従って本発明に係る無線制御システム、電子機器本体及び操作入力装置の好ましい実施の形態について説明する。図１は、本発明の第１の実施形態に係る無線制御システムの主要構成を示すブロック図である。図１に示すように、本発明の無線制御システム１０は、操作入力装置１２と、電子機器本体１４とを備える。
【００２２】
操作入力装置１２は、操作側バッテリＥ１と、スイッチＳＷａ、ＳＷｂと、アンテナ１６と、ＲＦ−ＩＤタグ（無線ＩＣタグ）１８ａ、１８ｂと、電力供給源セレクタ２０ａ、２０ｂとを備える。なお、図１においてスイッチＳＷａ、ＳＷｂは２つの釦となっているが、スイッチの個数や形状はこれに限定されるものではない。
【００２３】
アンテナ１６は、電子機器本体１４と通信するためのものであり、図示せぬコイル構造を含んでいる。アンテナ１６は、電子機器本体１４から電波を受信すると、このコイルにより誘導起電力が発生され、この誘導起電力は操作入力装置１２の駆動電力となる。具体的には、この誘導起電力は、各スイッチＳＷａ又はＳＷｂが操作されると、操作されたスイッチに接続されたＲＦ−ＩＤタグに駆動電力が供給される。
【００２４】
操作側バッテリＥ１は、電子機器本体１４からの電力供給がないときに、操作入力装置１２内の各部に駆動電力を供給する電力供給源である。
【００２５】
ＲＦ−ＩＤタグ１８ａ及び１８ｂは、それぞれスイッチＳＷａ及びＳＷｂに接続されており、それぞれ固有の制御データを記憶している。操作者により各々に接続されたスイッチが操作されると、ＲＦ−ＩＤタグ１８ａ及び１８ｂにより、アンテナ１６を介してこの制御データを含む電波が送信される。電子機器本体１４は、この制御データを受信してどのスイッチが操作されたかを認識することができる。電力供給源セレクタ２０ａ及び２０ｂについては後述する。
【００２６】
電子機器本体１４は、本体側バッテリＥ２と、アンテナ２２と、ＲＦ−ＩＤリーダ部２４と、ＣＰＵ２６と、ＲＯＭ２８等を備える。
【００２７】
本体側バッテリＥ２は、電子機器本体１４内のＲＦ−ＩＤリーダ部２４やＣＰＵ２６等の各部の駆動電力を供給する電力供給源である。
【００２８】
アンテナ２２は、操作入力装置１２と通信するためのものであり、操作入力装置１２から送信された制御データを受信するとともに、操作入力装置１２の駆動電力となる電波を送信する。
【００２９】
ＲＯＭ２８は、制御データ、即ちスイッチとコマンドとの対応関係が記憶されたテーブルを記憶している（図１１参照）。ＣＰＵ２６は、操作入力装置１２から受信した制御データに応じた、即ち操作されたスイッチに応じたコマンドを電子機器本体１４内の各部に送信して各部の制御を行う。ＲＦ−ＩＤリーダ部２４については後述する。
【００３０】
次に、電力供給源セレクタ２０ａ、２０ｂについて、図２を参照して説明する。なお、電力供給源セレクタ２０ａ、２０ｂは同様の構成であるため、電力供給源セレクタ２０としてまとめて説明する。また、図２においては、各電力供給源セレクタに接続されたスイッチ等もそれぞれ符号ａ、ｂを取って示す。図２は、操作入力装置の電力供給源セレクタの主要構成を示すブロック図である。図２に示すように、ＲＦ−ＩＤタグ１８は、電力供給源セレクタ２０と、ＲＦ−ＩＤタグ本体３０とを備える。そして、電力供給源セレクタ２０は、スイッチＳＷ１と、オペアンプ３２及び３４と、論理回路３６とを備える。
【００３１】
オペアンプ３２及び３４の駆動電力は、操作側バッテリＥ１から供給される。オペアンプ３２及び３４の反転入力側（−）には、操作側バッテリＥ１から電源検出用のリファレンス電圧が入力される。また、オペアンプ３２の非反転入力側（＋）にはアンテナ１６からの電力が入力され、オペアンプ３４の非反転入力側（＋）には操作側バッテリＥ１からの電力が入力される。オペアンプ３２及び３４は、各端子への入力電圧に応じた信号を論理回路３６に出力する。論理回路（セレクタ）３６は、オペアンプ３２及び３４から入力された信号に基づいてＳＷ１を制御する。
【００３２】
なお、制御データ送信パスはＲＦ−ＩＤタグ本体３０から制御データをアンテナ１６に送信する際の経路であり、電力供給パスはアンテナ１６において生じた誘導起電力をＲＦ−ＩＤタグ本体３０に供給する際の経路である。
【００３３】
スイッチＳＷが操作されたときに電子機器本体１４からの電力供給がある場合には、アンテナ１６からオペアンプ３２の非反転入力側（＋）に電力が供給され、オペアンプ３２及び３４から両端子（＋と−）に電力の入力があることを示す信号（例えば、「１」）が論理回路３６に出力される。論理回路３６は、この信号（「１」と「１」）を受信するとスイッチＳＷ１を端子Ｔ１に接続する。これにより、電力供給パスを介して電子機器本体１４からの電波による誘導起電力がＲＦ−ＩＤタグ本体３０に供給される。
【００３４】
スイッチＳＷが操作されたときに電子機器本体１４からの電力供給がない場合には、アンテナ１６からオペアンプ３２の非反転入力側（＋）に電力が供給されない。これにより、オペアンプ３２からは非反転入力側（＋）には電力の入力がないことを示す信号（例えば、「０」）が論理回路３６に出力される一方、オペアンプ３４からは両端子（＋と−）に電力の入力があることを示す信号（例えば、「１」）が論理回路３６に出力される。論理回路３６は、この信号（「０」と「１」）を受信するとスイッチＳＷ１を端子Ｔ２に接続する。これにより、操作側バッテリＥ１からＲＦ−ＩＤタグ本体３０に電力が供給される。
【００３５】
次に、操作入力装置１２の動作について、図３を参照して説明する。図３は、操作入力装置の動作を示すフローチャートである。まず、操作者によりスイッチＳＷａ又はＳＷｂが押されると、電子機器本体１４側からの電力供給があるかどうかにより進路が分岐する（ステップＳ１０）。電子機器本体１４側からの電力供給がある場合（スイッチＳＷ１が端子Ｔ１に接続されている場合）には、電子機器本体１４から供給された電力で制御データが送信される（ステップＳ１２）。一方、電子機器本体１４側からの電力供給がない場合（スイッチＳＷ１が端子Ｔ２に接続されている場合）には、操作側バッテリＥ１からの電力で制御データが送信される（ステップＳ１４）。
【００３６】
次に、ＲＦ−ＩＤリーダ部２４について、図４を参照して説明する。図４は、ＲＦ−ＩＤリーダ部の主要構成を示すブロック図である。図４に示すように、ＲＦ−ＩＤリーダ部２４は、スイッチＳＷ２と、ＲＦ受信部４０と、制御データ受信ラッチ４２と、デコーダ４４と、ＲＦ電力供給部４６と、ＣＰＵ  Ｉ／Ｆ部４８とを備える。なお、本体側バッテリＥ２と符号５０とを結ぶ配線は、本体側バッテリＥ２から符号５０内の各部への電力の供給経路である。
【００３７】
ＲＦ受信部４０は、操作入力装置１２から送信された制御データを含む電波を受信する機能部である。ＲＦ受信部４０により受信された制御データは、制御データ受信ラッチ４２及びＣＰＵ  Ｉ／Ｆ部４８を介してＣＰＵ２６に送信され、ＣＰＵ２６により電子機器本体１４の各部の制御が行われる。また、ＲＦ受信部４０により制御データが受信されると、制御データ受信ラッチ４２を介してスイッチＳＷ２を制御する信号がデコーダ４４に入力される。デコーダ４４は、制御データ受信ラッチ４２からの信号の入力に基づいてスイッチＳＷ２を制御する。
【００３８】
ＲＦ電力供給部４６は、アンテナ２２を介して本体側バッテリＥ２から供給された電力を操作入力装置１２側に無線送信する機能部である。
【００３９】
ＣＰＵ  Ｉ／Ｆ部４８は、ＲＦ−ＩＤリーダ部２４とＣＰＵ２６との通信インターフェースであり、操作入力装置１２から受信した制御データをＣＰＵ２６に送信する。
【００４０】
スイッチＳＷ２は、本体側バッテリＥ２からＲＦ電力供給部４６及びＣＰＵ  Ｉ／Ｆ部４８への電力供給を制御するものである。ＲＦ受信部４０により制御データが受信された際にスイッチＳＷ２がＯＦＦの場合には、デコーダ４４によりスイッチＳＷ２はＯＮとなる。これにより、電子機器本体１４から操作入力装置１２への電力供給が開始される。また、ＲＦ受信部４０により制御データが受信されたのち、所定時間（例えば、１０秒）以上制御データが受信されない場合には、スイッチＳＷ２は自動的にＯＦＦになる。なお、スイッチＳＷ２がＯＦＦになるタイミングは、１セットの制御データの受信が終了する都度であってもよいし、電子機器本体１４の電源ＯＦＦ時であってもよい。また、スイッチＳＷ２の自動ＯＦＦの機構は、所定時間ごとに自動的にＯＦＦとなる限時継電器等を用いてもよいし、ＲＦ−ＩＤリーダ部２４内にタイマ等を追加するか、又は電子機器本体１４のクロックにより制御データを受信してからの経過時間をカウントすることにより、スイッチ制御回路によりスイッチＳＷ２の制御を行うようにしてもよい。
【００４１】
次に、電子機器本体１４の動作について、図５を参照して説明する。図５は、電子機器本体の動作を示すフローチャートである。まず、ＲＦ受信部４０により制御データが受信されると、スイッチＳＷ２がＯＮかどうかにより進路が分岐する（ステップＳ２０）。ステップＳ２０においてスイッチＳＷ２がＯＮの場合には、ステップＳ２４に進む。一方、ステップＳ２０においてスイッチＳＷ２がＯＦＦの場合には、デコーダ４４によりスイッチＳＷ２がＯＮとなり、本体側バッテリＥ２からＲＦ電力供給部４６及びＣＰＵ  Ｉ／Ｆ部４８に電力が供給される（ステップＳ２２）。これにより、電子機器本体１４から操作入力装置１２への電力供給が開始されるとともに、ＣＰＵ  Ｉ／Ｆ部４８によりＣＰＵ２６に制御データが送信される。そして、ＣＰＵ２６により受信した制御データに応じた、即ち操作されたスイッチに応じたコマンドが電子機器本体１４の各部に送信され（ステップＳ２４）、各部の制御が行われる。
【００４２】
本実施形態によれば、操作入力装置１２と電子機器本体１４との間に配線がないため、スイッチや釦等の操作部材のレイアウトの自由度が増加する。また、本実施形態によれば、操作入力装置１２側からの入力が所定時間以上途切れた場合等に、電子機器本体１４から操作入力装置１２への駆動電力の供給が停止されるため、本体側バッテリＥ２の節約になる。なお、本実施形態においては、操作側バッテリＥ１は、電子機器本体１４側からの電力供給を開始させる際のトリガとして用いられるだけであるため、大容量のバッテリを用いる必要がない。したがって、本発明の無線制御システム１０が適用される電子機器の寿命を見積もっておき、あらかじめこの寿命より長い電池等を搭載しておけば、電子機器を使用している際に操作側バッテリＥ１を交換する必要がない。
【００４３】
次に、本発明の第２の実施形態について、図６を参照して説明する。図６は、本発明の第２の実施形態に係る無線制御システムにおける操作入力装置の主要構成を示すブロック図である。なお、電子機器本体１４については、第１の実施形態と同様であるため説明を省略する。また、図６中のアンテナ１６等の第１の実施形態と同様のブロックについては、図１と同じ符号を付して説明を省略する。
【００４４】
図６に示す操作入力装置１２は、操作側バッテリＥ１と、スイッチＳＷａ、ＳＷｂ、ＳＷｃと、アンテナ１６と、ＲＦ−ＩＤタグ１８と、電力供給源セレクタ２０と、組み合わせ回路５２を備える。なお、図６においてスイッチは３つの釦となっているが、スイッチの個数や形状はこれに限定されるものではない。
【００４５】
組み合わせ回路５２は、スイッチＳＷａ〜ＳＷｃが所定の組み合わせで操作された際に、その組み合わせに応じた制御信号をＲＦ−ＩＤタグ１８に送信させる。これにより、複数のスイッチを所定の組み合わせで同時に操作した場合や、所定の順序で操作した場合、２度押しの場合等のスイッチの操作方法に応じて電子機器本体１４の制御を行うことができる。なお、組み合わせ回路５２の駆動電力は操作側バッテリＥ１から供給される。
【００４６】
以下に、本発明の無線制御システムが適用された電子機器の例について説明する。図７は、本発明の無線制御システムが適用されたリモコン制御装置を模式的に示す図である。図７に示すリモコン制御装置５４は、リモコン５６により電子機器本体１４を遠隔制御する装置であり、リモコン５６が操作入力装置１２を備えている。なお、図中では、リモコン５６のスイッチＳＷａ及びＳＷｂ以外の機能部については省略されている。
【００４７】
図８は、本発明の無線制御システムが適用されたカメラを模式的に示す図である。図８に示すカメラ５８においては、カメラの外装部６０が操作入力装置１２に対応しており、カメラの内部６２が電子機器本体１４に対応している。なお、図８においては、外装部６０のスイッチ群ＳＷ（レリーズスイッチ、ズーム（WIDE、TELE）、電源（POWER ON/OFF））及びＬＣＤモニタ以外の機能部については省略されている。この場合、外装部６０に設けられるスイッチ群ＳＷの配置が内部６２のＣＰＵ（図示されず）からの配線の制限を受けないため、スイッチ群ＳＷのレイアウトの自由度が増加する。
【００４８】
図９は、本発明の無線制御システムが適用されたカメラ及びカメラの防水パックを模式的に示す図である。図９においては、防水パック６４が操作入力装置１２に対応しており、カメラ本体６６が電子機器本体１４に対応している。なお、図９においては、防水パック６４のスイッチ群ＳＷ（レリーズスイッチ、ズーム（WIDE、TELE）、電源（POWER ON/OFF））及びＬＣＤモニタ以外の機能部については省略されている。従来の防水パックでは、カメラ本体６６のスイッチのレイアウトが機種により異なるため、専用の防水パックしか用いることができなかったが、この例によれば、カメラ本体６６のスイッチのレイアウトによらず、さまざまな機種のカメラ本体６６に適用可能な防水パック６４の設計を行うことができる。
【００４９】
なお、本発明は、カメラ以外の電子機器の防水パックや防塵パックに適用することもできる。
【００５０】
なお、上述の第１・第２の実施形態においては、ＣＰＵ２６は、操作入力装置１２のどのスイッチが操作されたかを認識して各部にコマンドを送信する。したがって、ＲＯＭ２８に記憶されたスイッチとコマンドの対応関係を変更することにより、操作者が各スイッチに割り当てられた機能を自由に変更することもできる。図１０はカメラのスイッチ配置を操作者の利き腕に応じて変更する例を模式的に示す図であり、図１１はスイッチとコマンドの対応関係が記録されたテーブルを示す図である。
【００５１】
図１１に示すテーブルには、右利き用と左利き用のスイッチとコマンドの対応関係が記憶されている。この例では、メニュー選択やファームウェアの更新等により、ＲＯＭ２８内のテーブルを書き換えることにより、図１０に示すカメラ７０のように操作者の利き腕に応じた最適なスイッチのレイアウトを実現することができる。なお、図１１の例のようにテーブルをまるごと入れ替えるのではなく、操作者がカメラの各スイッチの機能を個別に設定できるようにしてもよい。
【図面の簡単な説明】
【００５２】
【図１】本発明の第１の実施形態に係る無線制御システムの主要構成を示すブロック図
【図２】操作入力装置の電力供給源セレクタの主要構成を示すブロック図
【図３】操作入力装置の動作を示すフローチャート
【図４】ＲＦ−ＩＤリーダ部の主要構成を示すブロック図
【図５】電子機器本体の動作を示すフローチャート
【図６】本発明の第２の実施形態に係る無線制御システムにおける操作入力装置の主要構成を示すブロック図
【図７】本発明の無線制御システムが適用されたリモコン制御装置を模式的に示す図
【図８】本発明の無線制御システムが適用されたカメラを模式的に示す図
【図９】本発明の無線制御システムが適用されたカメラ及びカメラの防水パックを模式的に示す図
【図１０】カメラのスイッチ配置を操作者の利き腕に応じて変更する例を模式的に示す図
【図１１】スイッチとコマンドの対応関係が記録されたテーブルを示す図
【符号の説明】
【００５３】
１０…無線制御システム、１２…操作入力装置、１４…電子機器本体、Ｅ１…操作側バッテリ、ＳＷ（ＳＷａ、ＳＷｂ、ＳＷｃ、…）、ＳＷ１、ＳＷ２…スイッチ、１６…アンテナ、１８（１８ａ、１８ｂ）…ＲＦ−ＩＤタグ、２０（２０ａ、２０ｂ）…電力供給源セレクタ、Ｅ２…本体側バッテリ、２２…アンテナ、２４…ＲＦ−ＩＤリーダ部、２６…ＣＰＵ、２８…ＲＯＭ、３０…ＲＦ−ＩＤタグ本体、３２、３４…オペアンプ、３６…論理回路、４０…ＲＦ受信部、４２…制御データ受信ラッチ、４４…デコーダ、４６…ＲＦ電力供給部、４８…ＣＰＵ  Ｉ／Ｆ部、５２…組み合わせ回路、５４…リモコン制御装置、５６…リモコン、５８、７０…カメラ、６０…カメラの外装部、６２…カメラの内部、６４…防水パック、６６…カメラ本体
【図１】
2006148254.tif 000003
【図２】
2006148254.tif 000004
【図３】
2006148254.tif 000005
【図４】
2006148254.tif 000006
【図５】
2006148254.tif 000007
【図６】
2006148254.tif 000008
【図７】
2006148254.tif 000009
【図８】
2006148254.tif 000010
【図９】
2006148254.tif 000011
【図１０】
2006148254.tif 000012
【図１１】
2006148254.tif 000013